(57)【要約】【課題】  形状がシンプルでしくみや扱い方が一目でわかり、使い易く安心でかつ快適で魅力があり楽しさが感じられるデザインで複数の飲料が楽しめるものが待望されている。形状変化、適正容量化、複数品提供化、再利用インテリア化、リサイクル簡素化と付加価値を楽しむ再利用可能なペットボトルが提供されていない。【解決手段】  底部一辺で開閉する上部に２つの口を備えた形状で、開くと１／２の厚さのスリム形状に変化する。内側に地球儀を内蔵したインテリア仕様や平面構造で内面に表示情報を提供できる２つの特徴を備え、複数飲料を提供できる。お子様、お年寄り、女性向けには商品構成と適正容量を内側内蔵品と組み合わせることにより、魅力ある商品づくりができる。内蔵品はインテリア・遊具として楽しめ、飲み口キャップは包装した飴、チョコ仕様で飲用後にデザートとして楽しめる魅力的なペットボトルを提供できる。【選択図】図１
2010265028.tif 000002
【特許請求の範囲】
【請求項１】
底部一辺で開閉する上部に２つの口を備えた携帯二つ折り開閉型ペットボトル。開くと１／２の厚さのスリム形状に変化する。内側に地球儀を内蔵（又は各種型を備えるもの）したインテリア仕様や平面構造で内面に情報を提供できる２つの特徴を備えた２飲料を提供できる携帯二つ折り開閉型ペットボトル。
【請求項２】
内側に丸型、角型、三角型、五角型、六角型、八角型及び、左記以外の型を備え、この内側型抜き内に地球儀・ボール・ミニチュアカー・ミニ玩具やミニフラワー等を内蔵する携帯二つ折り開閉型ペットボトル。
【請求項３】
請求項１の内側平面スペース（両面）に商品名、広告・料理メニュー・カレンダー・詩集等や新メニュー情報を訴求できる構造の携帯二つ折り開閉型ペットボトル。
【請求項４】
対の商品構成（ツイン・Ｗ・マッチ・コンビ・対・２つ・ペア・２イン１等）が出来る携帯二つ折り開閉型ペットボトル。１種類で構成しても楽しいものとなる。片側を透明の水としたときは内側に内蔵した形のそのものが（地球儀の場合は水中に浮いた状態を表現できる）見え、さらに、請求項１のスペース内側の透明な水の入った側にはイラストや写真等の情報を備えることで容器の中側に見える不思議な感覚を提供する。
【請求項５】
折りたたみの仕組み部位は開閉を円滑にし、底部で折りたためる一体成型型の携帯二つ折りペットボトル。他に仕組み部位蝶番仕様、１点・２点、数点を基軸とする設計構造と形状記憶素材を使用して開閉安定化させる。
【請求項６】
底部と内側にマグネットを備え開閉を安定させる携帯二つ折り開閉型ペットボトル。開くと１／２の薄型サイズとなり、かばんや机の引き出し（深さの浅い引き出し）に出し入れしやすい形状に変化する。
【請求項７】
持ちやすい・飲みやすい・収納しやすい面取りＲ処理デザインの携帯二つ折り開閉型ペットボトル。全体形状は正立方体・長立方体・円立方体・その他変形体を含む形状である。
【請求項８】
２つの口を持つ円形（扁平円を含む）、四角形、その他多角形等変形体を形状とする携帯二つ折り開閉型ペットボトル。２つの口の位置は対角線上のものと中心揃え・左右同位置及び容器全体の自由な位置に設計する携帯二つ折り開閉型ペットボトル。
【請求項９】
飲料以外の商品構成には３つ口、４つ口の形状設計ができる携帯型折りたたみ容器となる。（３つ口は調味料：塩・胡椒・香辛料等や化粧品ではアフターシェーブローション・ヘアトニック・フェイス乳液等の旅行用パック構成ができる）
【請求項１０】
内側のくりぬき型の底部を抜いて水や土を入れ、ミニフラワー・ミニ盆栽・ミニ観葉植物等を育成することができるインテリアデザイン機能を持つ。
【請求項１１】
携帯二つ折り開閉型ペットボトルのメインデザインは内側の中心に水をたたえた地球儀。綺麗でおしゃれでインパクトを与えられる点滅・点灯仕様の地球儀を内蔵したものは、閉じたままでも開いてもインテリアになる。またマイボトルとして再利用できる。スポーツボール（野球・ソフトボール・サッカー・バレーボール・バスケットボール・卓球・ボウリング・ゴルフ等）を内蔵したものはスポーツ大会を盛り上げるイベント商品にできる。
【請求項１２】
高齢者・お子様・女性向けの商品開発品をミニサイズ・薄型サイズや（適量設定：市場調査に基づくもの）内容量変更形状（形状ＬＩ：左側内容量を多く、右側少なくする形）に設計ができる携帯二つ折り開閉型ペットボトル。
【請求項１３】
３つ以上の口を持った携帯二つ折りペットボトル。三つ折り以上の折りたたみ機構を持った携帯ペットボトル。
【請求項１４】
ペットボトル以外の素材の金属〈アルミ・軽量軽合金等）やガラス、加工紙等で加工した携帯アルミ缶ボトル、携帯ガラス瓶ボトルを含む携帯折りたたみ開閉型形状であること。
【請求項１５】
内部機構に取り外しできる凹凸又は接着・着脱機構（ボタン式・テープ式等）機構を備えたボトル。折りたたみ機構にも取り外し機構を設計することにより容器をそれぞれに分けて利用できるを含む脱着可能な携帯折りたたみ開閉型容器。
【請求項１６】
再資源化（リサイクル）しやすい形状を持つ。（角型長立方体型、丸型円柱型、特殊型等、全ての携帯折りたたみ開閉型は１／２形状で薄くし易い）  飲料用の口はキャンディー、硬質チョコレート、ガム、清涼菓子、サプリメント、煎餅等の菓子仕様（包装キャップしたもの）で内容商品に組み合わせて商品化する。飲用後のデザートを楽しめると同時に無駄な資源廃棄（口の部分材料）を減少できる。
【請求項１７】
ペットボトル素材の合成樹脂（プラスチック）のポリエチレンテレフタラート（ＰＥＴ）の他にポリエチレン、ポリプロピレン等の合成樹脂を原料としてつくる携帯二つ折り開閉型ペットボトルである。
【発明の詳細な説明】
【技術分野】
【０００１】本発明は、底部一辺で開閉する２つの口を備えた形状で、開くと１／２の厚さのスリム形状に変化し、内側に地球儀を内蔵したインテリア仕様や内側平面に情報を提供できる内面デザイン機能強化と２飲料提供ができる携帯二つ折り型ペットボトルに関する。
【背景技術】
【０００２】従来のペットボトルの形状は円形・四角形・その他多角形等変形体・取手付があり、その大部分は単品容器である。その中には飲み口を２つ配置したものがある。（特許文献１参照。）また、複数の（３つ以上の）飲み口を配置したものもある。（特許文献２参照。）【０００３】以下、図６、図７、図１７、図１８により従来のペットボトルについて説明する。図６は２つの飲み口、図７はその底部で全体を接着するもの。図１７は正三角柱全体、図１８は正三角柱ラベルである。
【特許文献１】  特開２００１−２９４２３９  公報
【特許文献２】  特開２００３−２１２２２６  公報
【０００４】従来のペットボトルは１容器でその大多数は使い捨てある。【０００５】おしゃれで形状が変化する容器が未開発である。【０００６】容器内側内部から必要な表示・情報がハッキリ確認できるものが未開発である。
【発明の開示】
【発明が解決しようとする課題】
【０００７】以上に述べた従来のペットボトルでは一つの物（単品）のみを提供するものが大多数である。複数のものを同時に提供するものはあるが、１容器で形状が変化するものはない。【０００８】本発明は、このような従来の単品使い捨て容器ではなく付加価値が高く機能性に優れた再利用可能なペットボトルを提供することを目的とするものである。【０００９】さらに、形状がシンプルで仕組みや扱い方が一目でわかり、使いやすく安心でかつ快適で魅力があり楽しさが感じられるユニバーサルデザインの考え方を取入れた容器をつくることを目的とするものである。
【課題を解決するための手段】
【００１０】そして、本発明は上記目的を達成するために底部一辺で開閉する上部に２つの口を備えて、開くと１／２の厚さのスリム形状に変化する、お酒落で魅力ある形状デザインにした。内側に地球儀を内蔵（又は各種型を備えるもの）したインテリア仕様や平面構造で内面に表示・情報を提供できる２つの特徴を備えて２飲料を提供する。今までにない開けて飲む、見る、内蔵品で遊ぶ、飾る等の動きと中味が楽しめる設計をしたものである。【００１１】内側に丸型、角型、三角型、五角型、六角型、八角型及び、左記以外の型を自由にデザイン出来る形状を持ち、新商品・イベント商品化提供することができる。【００１２】また、内側を平面のスペース（両面）にして、広告・料理メニューや新メニュー情報、商品名・内容量表示（４面）等を訴求できる。【００１３】２種類の商品はもとより３・４種類の商品提供が出来る。商品構成による内容量の増減やお子様・お年寄り・女性向けの適正量提供・組み合わせが自由に出来る。
【発明の効果】
【００１４】上述したように本発明の携帯二つ折り開閉型ペットボトルは底部一辺で開閉する上部に２つの口を備えた形状で、開くと１／２の厚さのスリム形状に変化する。内側に地球儀を内蔵（又は各種型を備えるもの）したインテリア仕様や平面構造で内面に表示情報を提供できる２つの特徴を備え、２飲料（３・４飲料も可能）を提供できる。これによりお酒落で魅力あるデザインペットボトルの提供ができる。【００１５】また、内側に丸型、角型、三角型、五角型、六角型、八角型及び、左記以外の型を自由にデザイン出来る形状を持ち、新商品・イベント商品化提供することができる。丸型に各スポーツボール（野球・ソフトボール・サッカー・バレーボール・バスケットボール・卓球・ボウリング・ゴルフ等）を内蔵するスポーツキャンペーン商品提供やスポーツ大会を盛り上げるオリジナル記念デザインボトルを提供して大会を盛り上げるイベント商品にでき、弾む素材のボールを内蔵すると遊具として楽しめる。【００１６】また、内側を平面のスペース（両面）にした場合は広告・料理メニューや新メニュー情報、商品名・内容量表示（水飲料は４面利用）等を訴求できるデザインペットボトルとなる。【００１７】飲料以外の商品開発が容易な携帯二つ折りペットボトル。３つ口、４つ口の形状設計により調味料セット（塩・胡椒・香辛料等）、旅行用化粧品セット（アフターシェーブローション・ヘアトニック・フェイス乳液等）の商品化ができる。【００１８】形状がシンプルでしくみや扱い方が一目でわかり、使い易く安心でかつ快適で魅力があり楽しさが感じられるデザイン。形状変化（開いて飲む・開いて薄型で収納・開いて飾る・開いて取り出して遊ぶ・飲料後キャップを食す・飾って置くかリサイクルか）と付加価値を楽しむ再利用可能なペットボトルができる。
【発明の実施するための最良の形態】
【００１９】以下、本発明の実施の形態を図１〜図１４に基づいて説明する。
【００２０】図１は開いた側面で３地球儀、７の丸型空間は飲料後に丸型をくり抜いてミニフラワー・ミニ盆栽を育ててインテリアにできる。５，６はマグネットで開閉を安定させる。
【００２１】図２の１は正面で１容器に、側面では２容器に見える。上部に２の２個の飲み口がある。３に丸型形状を備えて地球儀を内蔵する。内蔵した地球儀は取り出すことができる。
【００２２】４は底部一辺の機軸部分で開閉でき、開くと内蔵した地球儀が現れる。開いてキャップを明けて飲み、開いた状態は１／２の厚さのスリム形状でかばんや引き出し収納がし易い。開いたままにして置くとインテリアになる。
【００２３】図５は開いた内側で、５、６はマグネットで開閉を安定させる。７は丸型空間。図６は上部から、図７は底部からの構造図である。
【００２４】図８は図２、３と全体像は変わりがない。接着内面の図９の８は平面構造である。図１０の９は透明な水の商品に適し、閉じたまま内側から▲１▼商品ラベル、▲２▼内容量他必要表示項目が見え、図１１の１０は、開けた面に▲３▼訴求情報面、▲４▼訴求情報面の合計４つの情報提供面をつくることができる。今までにない容器の水の奥にある情報に驚きと楽しさが感じられるデザインボトルの提供ができる。
【００２５】携帯二つ折り開閉型ペットボトルは図１２、図１３のように３口型（旅行用化粧品セット）や、４口型（調味料セット）の商品開発ができる。
【００２６】ペットボトル素材の合成樹脂（プラスチック）のポリエチレンテレフタラート（ＰＥＴ）の他にポリエチレン、ポリプロピレン等の合成樹脂を原料としてつくる。携帯二つ折り開閉型は合成樹脂原料でつくる唯一のペットボトルである。
【図面の簡単な説明】
【００２７】
【図１】本発明の実施形態を示す開いた側面図
【図２】正面図
【図３】側面図
【図４】開く開閉図
【図５】開いた内面図
【図６】上部図
【図７】下部図
【図８】接着面加工なしの側面、正面図
【図９】開いた側面図
【図１０】内面情報内面図
【図１１】内面情報外面図
【図１２】３口上部図
【図１３】４口上部
【図１４】４口全体図
【符号の説明】
【００２８】１  本体
２  飲み口キャップ
３  地球儀（丸型オリジナル商品）
４  底部開閉機軸部位
５  開閉時安定化マグネット（内面）
６  開閉時安定化マグネット（底面）
７  丸型オリジナル商品保有空間
８  内側平面情報提供スペース（透明な水の場合は４面利用できる）
９  内側平面情報提供スペース（裏面：閉じた時に外側から見える）
１０内側平面情報提供スペース（表面：開けたときに見える）
【図１】
2010265028.tif 000003
【図２】
2010265028.tif 000004
【図３】
2010265028.tif 000005
【図４】
2010265028.tif 000006
【図５】
2010265028.tif 000007
【図６】
2010265028.tif 000008
【図７】
2010265028.tif 000009
【図８】
2010265028.tif 000010
【図９】
2010265028.tif 000011
【図１０】
2010265028.tif 000012
【図１１】
2010265028.tif 000013
【図１２】
2010265028.tif 000014
【図１３】
2010265028.tif 000015
【図１４】
2010265028.tif 000016